(57)【要約】【課題】風によって襟が捲くれ上がってしまうことを防止することができるセーラー服の提供を図る。【解決手段】セーラー服１１は、前身頃と後身頃１２とを備えた身頃と、袖と、襟１３とを備える。この襟１３の襟後部１４は、後身頃１２に被さっており、その裏側に襟側固定具１５が取り付けられている。後身頃１２の表側には、身頃側固定具１６が取り付けており、両固定具１５、１６とを着脱可能に固定することによって、襟１３が後身頃１２から捲くれ上がることを防止する。【選択図】図１
0003181723.tif 000002
【実用新案登録請求の範囲】
【請求項１】
セーラー襟と後身頃とを固定したことを特徴とするセーラー服。
【請求項２】
前記固定の箇所が、セーラー襟の端辺から少なくとも２cm上方に入った位置から、セーラー襟の首の折り返し辺から少なくとも５cm下方に入った位置との間の領域であることを特徴とする学生用のセーラー服。
【請求項３】
前記固定の箇所がセーラー襟の左右方向の中央箇所、または左右の両端あることを請求項２記載のセーラー服。
【請求項４】
前記固定が、ストッパーテープ、ボタン、ファスナー、面ファスナー、ホックから選択された少なくとも一種で着脱可能になされたことを特徴とする請求項１〜３の何れかに記載のセーラー服。
【考案の詳細な説明】
【技術分野】
【０００１】
本考案は、セーラー服、特にその襟の改良に関するものである。
【背景技術】
【０００２】
セーラー服は、女子学生の制服として、我が国において多用されており、種々の提案がなされている。例えば、特許文献１及び２に示すように、セーラー服を身頃生地に対して着脱可能にすることによって、汚れやすい襟のみを洗濯できるようにした提案が知られている。
このように、古くから制服として愛用されているセーラー服ではあるが、風によって捲れ上がってしまうという課題がある。
具体的には、図３（Ａ）に示すように、通常は襟ａの後部が後身頃ｂの背中部分に沿って垂れ下がっているが、風によって反転するように舞い上がり、着用者の後頭部を覆ってしまうほど、捲くれ上がることがある（図３（Ｂ）参照）。
特許文献１及び２は、セーラー服を身頃生地に対して着脱可能にすることを提案するに止まり、襟の捲くれ上がりを防止するものではなかった。
【先行技術文献】
【特許文献】
【０００３】
【特許文献１】実開昭４９−５７１２０号公報
【特許文献２】実開昭５６−１２３８２７号公報
【考案の概要】
【考案が解決しようとする課題】
【０００４】
本考案は、風によってセーラー服の襟が捲くれ上がってしまうことを防止することができるセーラー服の提供を課題とする。
【課題を解決するための手段】
【０００５】
本考案は、セーラー襟と後身頃とを固定したことを特徴とするセーラー服を提供することによって、上記の課題を解決する。
前記固定の箇所は、適宜変更して実施することができるが、セーラー襟の端辺から少なくとも２cm上方に入った位置から、セーラー襟の首の折り返し辺から少なくとも５cm下方に入った位置との間の領域であることが望ましい。
また、前記固定の箇所は、セーラー襟の左右方向の中央箇所、または左右の両端あることが望ましい。
前記固定の手段は種々変更して実施することができるが、例えば、ストッパーテープ、ボタン、ファスナー、面ファスナー、ホックなどが適する。
【考案の効果】
【０００６】
本考案は、セーラー襟と後身頃とを固定したため、セーラー襟が捲くれ上がってしまうことを防止することができる。
特に、前記固定の箇所が、セーラー襟の端辺から少なくとも２cm上方に入った位置から、セーラー襟の首の折り返し辺から少なくとも５cm下方に入った位置との間の領域であることによって、セーラー襟が風になびくといった自然な着用感を維持しつつ、セーラー襟が完全に裏返ってしまうことを防止することができる。
また、前記固定の箇所がセーラー襟の左右方向の中央箇所または左右の両端にあるため、固定箇所を極力少なくして、セーラー襟が風になびくといった自然な着用感を維持しつつ、セーラー襟が完全に裏返ってしまうことを防止することができる。
さらに、前記固定が、ストッパーテープ、ボタン、ファスナー、面ファスナー、ホックから選択された少なくとも一種でなされたため、簡単に着脱することできる。
【図面の簡単な説明】
【０００７】
【図１】（Ａ）は本考案の実施の形態に係るセーラー服の斜視図であり、（Ｂ）は同セーラー服の襟を裏返した状態の斜視図である。
【図２】（Ａ）は同セーラー服の襟後部の正面図であり、（Ｂ）は他の実施の形態に係る襟後部の正面図であり、（Ｃ）は襟後部の固定手段の一例を示す説明図である。
【図３】本考案の実施の形態に係るセーラー服を示すもので、（Ａ）はセーラー服の斜視図であり、（Ｂ）は同セーラー服の襟が捲れ上がった状態の斜視図である。
【考案を実施するための形態】
【０００８】
以下、図面に基づき本考案の実施の形態を説明する。
図１、図２に示すように、この実施の形態に係るセーラー服１１は、前身頃（図示せず）と後身頃１２とを備えた身頃と、袖と、襟１３とを備える。この襟１３の襟後部１４は、後身頃１２に被さっており、その裏側に襟側固定具１５が取り付けられている。図２（Ｃ）に示すように、襟１３が裏地２０を備えたものである場合には、裏地のみに襟側固定具１５を取り付けて、表地には現れないようにすることが望ましい。
他方、後身頃１２の表側には、身頃側固定具１６が取り付けている。
そして、襟側固定具１５と身頃側固定具１６とを着脱可能に固定することによって、襟１３が後身頃１２から捲くれ上がることを防止する。
【０００９】
前記固定の箇所は、適宜変更して実施することができるが、図２に示すように、襟１３の下端辺１７及び左右端辺１８から少なくとも２cm内側に入った位置と、襟の首の折り返し辺１９から少なくとも５cm下方に入った位置との間の領域２１内であることが望ましい。下端辺１７及び左右端辺１８に近づきすぎると、襟の自然な動きを阻害するおそれがある。また、襟の首の折り返し辺１９に近づきすぎると、襟１３の捲くれ上がりを防止することができない。
固定箇所の数は、種々変更して実施することができるが、例えば、襟１３の左右の両端の２箇所（図２（Ａ）参照）や数箇所、または、左右方向の中央の１箇所（図２（Ｂ）参照）であることが望ましい。
【００１０】
前記固定の手段は種々変更して実施することができるが、例えば、ストッパーテープ、ボタン、ファスナー、面ファスナー、ホックなどが適する。その一例として、図２（Ｃ）及び図２（Ｄ）は、襟１３の裏地（２０）に合成樹脂製の開閉可能なテープを襟側固定具１５として設け、ループ状テープを身頃側固定具１６として設けた例を示したものである。より詳しくは、図２（Ｄ）に示すように、テープ両端を後身頃１２に縫着等で固定した身頃側固定具１６を横方向に配置し、下端側に雄嵌合部２２を備え基端側に雌嵌合部２３を備えた襟側固定具１５の上端を、襟１３の裏地２０に縫着等で固定する。そして、この襟側固定具１５を半分に折り返し、その下端を身頃側固定具１６の下方から上方に通して、雌雄の嵌合部２２、２３を嵌合させることによって、後身頃１２と襟１３とを着脱可能に固定したものである。この固定具は単なる一例であるが、着脱可能な固定具を使用することによって、洗濯などの際に、襟１３全体を取り外したり、取り外さないタイプであっても襟１３の裏側などを良好に洗濯することができる。
【００１１】
以上、この実施の形態のセーラー服にあっては、セーラー襟が風になびくといった自然な着用感を維持しつつ、セーラー襟が完全に裏返ってしまうことを防止することができたものである。
図では、半袖のセーラー服１１を示したが、長袖であってよい。また、このセーラー服１１は、学生用の制服に適するが、それに限るものではない。
【符号の説明】
【００１２】
１１  セーラー服
１２  後身頃
１３  襟
１４  襟後部
１５  襟側固定具
１６  身頃側固定具
１７  下端辺
１８  左右端辺
１９  首の折り返し辺
２０  襟の裏地
２１  領域
【図１】
0003181723.tif 000003
【図２】
0003181723.tif 000004
【図３】
0003181723.tif 000005
【手続補正書】
【提出日】平成24年12月7日(2012.12.7)
【手続補正１】
【補正対象書類名】実用新案登録請求の範囲
【補正対象項目名】全文
【補正方法】変更
【補正の内容】
【実用新案登録請求の範囲】
【請求項１】
セーラー襟と後身頃とを固定したことを特徴とするセーラー服。
【請求項２】
前記固定の箇所が、セーラー襟の端辺から少なくとも２cm上方に入った位置から、セーラー襟の首の折り返し辺から少なくとも５cm下方に入った位置との間の領域であることを特徴とする学生用の請求項１記載のセーラー服。
【請求項３】
前記固定の箇所がセーラー襟の左右方向の中央箇所、または左右の両端であることを請求項２記載のセーラー服。
【請求項４】
前記固定が、ストッパーテープ、ボタン、ファスナー、面ファスナー、ホックから選択された少なくとも一種で着脱可能になされたことを特徴とする請求項１〜３の何れかに記載のセーラー服。